(57)【要約】【課題】簡単な設備と安い設備費用で真夏等の暑い日でもハウス内環境を好環境にできて、ハウス栽培の農作物の生産性を向上させることができる植物栽培用の樹脂シートハウスを提供することにある。【解決手段】植物栽培床８の上に骨組部材２によってハウス枠体５を形成し、このハウス枠体５の下部を通気可能な下部開放室１２とするとともに上部全体を樹脂シートで密閉して上部密閉室１１とし、さらに、下部開放室１２に滞留する空気および流入する外気を上部密閉室１１を通って排出させる少なくとも1本の換気筒４を、上部密閉室１１を上下方向に貫通するようにして設けた。【選択図】  図１
0003123214.tif 000002
【実用新案登録請求の範囲】
【請求項１】
植物栽培床を内部に収納するように設置する樹脂シートハウスであって、骨組部材によって形成するハウス枠体の内部を適宜の高さ位置で上下に分割して上部空間と下部空間とし、上部空間を樹脂シートで周囲を密閉して上部密閉室とするとともに下部空間を通気可能な下部開放室とし、さらに、下部開放室に滞留する空気および流入する外気を上部密閉室内の空気と直接接触することなく外に排出させる少なくとも1本の熱交換可能な換気筒を、上部密閉室を上下方向に貫通するようにして設けたことを特徴とする植物栽培用の樹脂シートハウス。
【考案の詳細な説明】
【技術分野】
【０００１】
本考案は、各種の野菜や果物を促成栽培する植物栽培用の樹脂シートハウスに関するものである。
【背景技術】
【０００２】
一般に各地の農家では野菜や果物等を促成栽培するためにビニールハウス内で野菜等の栽培を行っている。この際に使用されるビニールハウスは、例えば軽量金属枠等によってドーム形の枠を組み立て全体をビニールシートで覆うとともに両端または一端に出入り口を設けたものである。このビニールハウスでは、真夏など外気温の上昇に伴って内部の温度も上がり栽培野菜等の生育に悪影響が出るので、このような場合には人手によってその都度ビニールハウスの裾を上げて外部との通気性を好くし、内部の温度調整を行っている。しかしながら、人手によってビニールハウスの裾を上げて上記のようにビニールハウス内の温度調整をすることは日々大変なことであった。
【０００３】
そこで、上記のようにビニールハウスの裾をその都度人手によって上げて温度調整を行うといった作業をなくす方策として、ビニールハウスの上部に天窓を設け、ビニールハウス内の温度がビニールハウス内に設置した温度センサの検出によって、或いは温度計を目視して、所定の温度を超えたことを検知或いは確認した場合に、ビニールハウスの両端または一端の出入り口を開けるとともに、天窓を自動作動装置または手動作動装置で開けて内部の空気を外に排出させ、内部温度を所定の温度になるように調整している。
【０００４】
天窓を備えたビニールハウスの場合、真夏等の暑い日は太陽熱によってビニールハウス内の空気の一部の温度が上がると膨張によって空気密度が小さくなって上昇しビニールハウス内の上部に溜まり、天窓を開けることによって、上部に溜まった高温の空気は外気より軽いため開放された天窓から自然にゆっくりと排出されていき、同時に自然対流により開放された出入り口から新鮮な外気がビニールハウス内に流入する。
【０００５】
天窓を備えた大きなビニールハウスの場合は、内部空間も大きてビニールハウス内の上部に溜まる高温の空気も多く、また開放された天窓からもゆっくりと排出されていくとともに、その間にも太陽熱でビニールハウス内が暖められて高温の空気が上部に上昇してくるために、ビニールハウス内の高温の空気と外から流入する外気とが自然対流によって円滑に行われてビニールハウス内の環境を良好に保つことができる。
【０００６】
しかしながら、天窓を備えた小さいビニールハウスでは、内部空間の容量も小さくてビニールハウス内の上部に溜まる高温空気の量も少なく、天窓を開け放って上記の高温空気を外に排出した場合、続けてビニールハウス内の上部に高温空気の溜まる時間が少ない。そのため、高温空気の上昇にともなうビニールハウス内の空気の円滑な自然対流が行われにくくなり、農作物の生育環境として好ましい環境をビニールハウス内に常に保持するのが難しかった。
【０００７】
また、上記したような天窓を開閉する自動作動装置または手動作動装置を備えたビニールハウスでは、設備費が高くつくといった問題点があった。
【０００８】
【特許文献１】特開平１１−２９９３６６号公報
【考案の開示】
【考案が解決しようとする課題】
【０００９】
本考案は上記のような点に鑑みて開発されたものであり、その目的とするところは、簡単な設備と安い設備費用で真夏等の暑い日でもハウス内を好環境にできて、ハウス栽培の農作物の生産性をより向上させることができる植物栽培用の樹脂シートハウスを提供することにある。
【課題を解決するための手段】
【００１０】
請求項１記載の本考案の植物栽培用の樹脂シートハウスは、植物栽培床を内部に収納するように設置する樹脂シートハウスであって、骨組部材によって形成するハウス枠体の内部を適宜の高さ位置で上下に分割して上部空間と下部空間とし、上部空間を樹脂シートで周囲を密閉して上部密閉室とするとともに下部空間を通気可能な下部開放室とし、さらに、下部開放室に滞留する空気および流入する外気を上部密閉室内の空気と直接接触することなく外に排出させる少なくとも1本の熱交換可能な換気筒を、上部密閉室を上下方向に貫通するようにして設けたことを特徴とする。
【考案の効果】
【００１１】
本考案の植物栽培用の樹脂シートハウスでは、上部密閉室を設けたことにより真夏等の暑い日の太陽熱により上部密閉室内の空気は常に高温に保たれ、上部空間に高温空気層が形成されるため、下部開放室の上部や換気筒内の空気も高温になった上部密閉室内の空気との間で熱交換によって高温になり、この高温になった空気は自然対流によって換気筒から外に排出とともに新鮮な外気を下部開放室内に流入させることができる。
【００１２】
そのため下部開放室は、農作物の生育にとって快適な環境に整えられ、農作物の生育も促進されて品質・収穫量ともに良好な農作物を収穫することができる。また、本考案の植物栽培用の樹脂シートハウスでは、その大きさの大小にかかわらず上記した効果を奏することができる。
【考案を実施するための最良の形態】
【００１３】
以下、本考案を実施するための最良の形態を図に基いて説明する。
図１、図２は本考案にかかる一例の植物栽培用の樹脂シートハウス（以下、樹脂シートハウスという。）に関する図であって、図１は樹脂シートハウスを外から見た簡略斜視図であり、図２はこの樹脂シートハウスの簡略断面図である。これらの図において、樹脂シートハウス１は、複数の骨組部材２や、樹脂シート３、熱交換可能な換気筒４によって図示のような形状に形成されたものである。
【００１４】
すなわち、樹脂シートハウス１のハウス枠体５は、合成樹脂製または軽量の金属製のパイプ等からなる複数の骨組部材２によって形成され、内部を適宜高さ位置で分割して上部空間と下部空間に分け、横断面矩形の横長な直方体形状に組み立てた下部空間を構成する下部ハウス枠６と、この下部ハウス枠６の上部に形成した横断面台形の横長な形状の上部空間を構成する上部ハウス枠７とからなる。下部ハウス枠６の四隅の支持枠柱６ａは、植物栽培床８の四隅に下部を埋めて建てられる。
【００１５】
上記のようにして骨組部材２によって組み立てられたハウス枠体５の上部ハウス枠７には、外面９（上天面９ａ，外周面９ｂ）の全体をビニール（または下記のフィルムシート）で覆うとともに、ハウス枠体５の内側の上部ハウス枠７と下部ハウス枠６との境界面１０を仕切り材で覆って密閉した上部密閉室１１を形成している。上記仕切り材は、ポリビニールアルコールを原料とする親水性のある素材によって形成されたフィルムシートであり、親水性があるので吸湿性や透湿性が非常に高く、使用中に上記フィルムシートに水分が付着して下方の植物栽培床８に水滴がぼた落ちするといったことがなく農作物に悪影響を与えることもない。
【００１６】
ハウス枠体５の下部空間である下部ハウス枠６内は、周囲を開放して外気が流れ込む下部開放室１２としてある。
【００１７】
さらに、植物栽培床８の上の下部開放室１２に滞留する空気および流入する外気を上部密閉室１１を通って排出させるために、上部密閉室１１のビニールで覆った上天面９ａと上記仕切り材で覆った境界面１０との中央部に丸穴１３、１４を開け、この丸穴１３、１４の箇所にビニールまたは上記フィルムシート等で形成した熱交換可能な換気筒４を、上部密閉室１１を上下方向に貫通するようにして設けてある。換気筒４の上部４ａは煙突のように上天面９ａから外に突出し、換気筒４の下端４ｂは境界面１０と面一にして設けてある。さらに、上天面９ａ並びに境界面１０の各丸穴１３、１４に挿入した換気筒４の外周面は、上天面９ａ並びに境界面１０の丸穴１３、１４の内周部と接着剤で密着させて、上部密閉室１１の気密性を保持できるようにしてある。
【００１８】
上記のようにして構成される図示の樹脂シートハウス１は、各種の植物を栽培する植物栽培床８全体を上方で覆うようにして設置する。植物栽培床８は下部開放室１２内に位置することになる。
【００１９】
このように植物栽培床８に設けた樹脂シートハウス１にあっては、真夏等の暑い日など太陽熱によって上部密閉室１１内の空気温度は上昇して高い温度に保たれる。このことにより換気筒４内の空気温度も、上部密閉室１１と換気筒４との間の熱交換により常時高い温度になる。そのため植物栽培床８の上方の下部開放室１２内の温度の上がった空気は、熱交換による換気筒４内の温度上昇に伴って自然対流が加速され、より効果的に換気筒４を通って外に排出されていく。同時に、温度上昇した空気の換気筒４からの排出に伴なう自然対流により下部開放室１２内には外から新鮮な空気が流れ込み、植物栽培床８の下部開放室１２をより快適な植物栽培空間にすることができる。そのため植物栽培床８の位置する下部開放室１２を農作物の生育により良い環境にして栽培することができ、収穫量や収穫する野菜等の質にも好影響を及ぼすことができる。
【００２０】
また、本発明においては、大きな樹脂シートハウス１は勿論のこと、小さな樹脂シートハウス１でも上部空間に高温空気を溜める上部密閉室１１を備えているので、換気筒４内を効果的に高い温度にすることができる。そのため、下部開放室１２から換気筒４に流動する空気の自然対流を常に加速させて下部開放室１２内の空気を換気筒４を介して外に効率よく排出させることができ、併せて、下部開放室１２内に外から新鮮な空気を流入させることができる。また、下部開放室１２内の上部の高温空気を外部に排出しても、換気筒４内は高温空気の溜まった上部密閉室１１との間で熱交換により常に高い温度にすることができ、小さな樹脂シートハウス１でも空気の自然対流を常に加速させて下部開放室１２内の空気を換気筒４を介して外に効率よく排出させることができる。
【００２１】
なお、本考案の樹脂シートハウスにおいて、換気筒を２本以上設けてもよく、また換気筒の内径の大きさは特に限定されるものではなく適宜設計変更するも自由である。
【図面の簡単な説明】
【００２２】
【図１】本考案にかかる一例の樹脂シートハウスを外から見た簡略斜視図である。
【図２】本考案にかかる一例の樹脂シートハウスの簡略断面図である。
【符号の説明】
【００２３】
１    樹脂シートハウス
２    骨組部材
４    換気筒
８    植物栽培床
５    ハウス枠体
１１  上部密閉室
１２  下部開放室
【図１】
0003123214.tif 000003
【図２】
0003123214.tif 000004